(57)【特許請求の範囲】
【請求項１】
信号の入力を受ける入力端子と、
信号を増幅する増幅手段と、
前記増幅手段により増幅された信号を、給電時出力系統と常時出力系統とに分配する分配手段と、
前記分配手段により前記給電時出力系統に分配された信号を出力する給電時出力端子と、
信号を出力する常時出力端子と、
前記増幅手段に対する給電が行われている場合には、前記入力端子を前記増幅手段に接続することで当該入力端子に入力された信号を当該増幅手段及び前記分配手段を介して前記給電時出力端子から出力させると共に、前記常時出力端子を前記分配手段に接続することで当該分配手段により前記常時出力系統に分配された信号を当該常時出力端子から出力させ、前記増幅手段に対する給電が行われていない場合には、前記入力端子を前記常時出力端子に接続することで当該入力端子に入力された信号を当該常時出力端子から出力させる、切り替え手段とを備え、
前記増幅手段の利得を、前記分配手段の分配損失と略同一に設定した、
ブースタ。
【発明の詳細な説明】
【技術分野】
【０００１】
本発明は、ブースタに関する。
【背景技術】
【０００２】
近年では、光通信技術の進展に伴い、光ケーブルを用いた光伝送システムが普及している。この光伝送システムによれば、数１０ｋｍ程度の無中継伝送が可能となるため、伝送システムを容易に広域化できる。この光伝送システムは、概略的には、送信者側に配置した光送信機と、受信者側に配置した光受信機（光終端端末装置、ＯＮＵ：Ｏｐｔｉｃａｌ  Ｎｅｔｗｏｒｋ  Ｕｎｉｔ）とを、光ケーブルにて構成された長距離伝送路を介して接続して構成されている。このように構成された光伝送システムにおいて、送信側では、ＴＶ信号や告知放送信号が混合された電気信号を光送信機によって光信号に変換し、この光信号を光ケーブルを介して送信する。一方、受信側では、この光信号を光受信機を介して受信してＲＦ信号やＦＭ信号に変換し、これらＲＦ信号をテレビ受像機と告知放送受信機に出力する（例えば、特許文献１参照）。
【先行技術文献】
【特許文献】
【０００３】
【特許文献１】特開２００８−２３６４４２号公報
【発明の概要】
【発明が解決しようとする課題】
【０００４】
ところで、上述の如き従来の光伝送システムにおいては、光受信機からテレビ受像機や告知放送受信機に信号を分岐する場合、分岐器における分岐損失を補うために、光受信機と分岐器との間にブースタを接続する必要があった。図６は、従来のブースタを用いた光伝送システムの構成図である。この図６に例示するように、従来は、光受信機１０２から出力された信号をブースタ１０３で増幅し、当該ブースタ１０３により増幅された信号を分岐器１０４によりテレビ受像機１０５や告知放送受信機１０６に分岐していた。
【０００５】
ここで、光受信機１０２としては、従来から、無給電式の光受信機も実用化されている。この無給電式の光受信機は、受信者側の電源供給の有無にかかわらず信号が出力できる光受信機であり、給電時には、外部からの電力供給を受けて動作し、無給電時には、内部のＰＤ（Ｐｈｏｔｏ  Ｄｉｏｄｅ）の起電力により動作することができる光受信機であり、このような無給電式の光受信機を用いることで、無給電時であっても光受信機１０２から信号を出力させることができる。しかしながら、図６に例示したような従来のブースタ１０３を用いた光伝送システム１０１において、無給電時であっても告知放送受信機１０６からの非常用告知放送を行わせるためには、光受信機１０２だけでなくブースタ１０３も動作させる必要がある。このため、ブースタ１０３用のバックアップ電源１０７を設けなければならず、設備の設置やメンテナンスに必要なコストが増大する可能性があった。
【０００６】
本発明は、上記に鑑みてなされたものであって、無給電時であっても信号の出力を継続することができるブースタを提供することを目的とする。
【課題を解決するための手段】
【０００７】
上述した課題を解決し、目的を達成するために、請求項１に記載のブースタは、信号の入力を受ける入力端子と、信号を増幅する増幅手段と、前記増幅手段により増幅された信号を、給電時出力系統と常時出力系統とに分配する分配手段と、前記分配手段により前記給電時出力系統に分配された信号を出力する給電時出力端子と、信号を出力する常時出力端子と、前記増幅手段に対する給電が行われている場合には、前記入力端子を前記増幅手段に接続することで当該入力端子に入力された信号を当該増幅手段及び前記分配手段を介して前記給電時出力端子から出力させると共に、前記常時出力端子を前記分配手段に接続することで当該分配手段により前記常時出力系統に分配された信号を当該常時出力端子から出力させ、前記増幅手段に対する給電が行われていない場合には、前記入力端子を前記常時出力端子に接続することで当該入力端子に入力された信号を当該常時出力端子から出力させる、切り替え手段とを備え、前記増幅手段の利得を、前記分配手段の分配損失と略同一に設定した。
【発明の効果】
【０００８】
このように、請求項１に記載のブースタによれば、前記増幅手段の利得を、前記分配手段の分配損失と略同一に設定したので、給電時において常時出力端子から出力される信号のレベルを無給電時と同様のレベルに抑制することができ、告知放送受信機に入力される信号のレベルを、給電の有無に関わらず一定に保つことができる。
【図面の簡単な説明】
【０００９】
【図１】実施の形態１に係るブースタを用いた光伝送システムの構成図である。
【図２】ブースタ内の回路図である。
【図３】実施の形態２に係るブースタを用いた光伝送システムの構成図である。
【図４】実施の形態２に係るブースタ内の回路図である。
【図５】図４に示した実施の形態２のブースタの回路構成の変形例を示した回路図である。
【図６】従来のブースタを用いた光伝送システムの構成図である。
【発明を実施するための形態】
【００１０】
以下に添付図面を参照して、この発明に係るブースタの各実施の形態を詳細に説明する。ただし、これら各実施の形態によって本発明が限定されるものではない。
【００１１】
〔実施の形態１〕
最初に、実施の形態１について説明する。この実施の形態１は、最も簡易に構成されたブースタに係る形態である。
【００１２】
（構成）
図１は、実施の形態１に係るブースタを用いた光伝送システムの構成図である。この図１に示すように、光伝送システム１は、光受信機２と１台の告知放送受信機６とを、ブースタ３を介して接続すると共に、光受信機２と複数台のテレビ受像機５とを、ブースタ３及び分配器４を介して接続して構成されている。なお、分配器４、テレビ受像機５、及び告知放送受信機６については、従来と同様に構成することができるので、その詳細な説明は省略する。また、光受信機２についても、基本的には従来と同様に構成することができるので、以下では、特に本実施の形態に関連する構成のみを説明し、その他の詳細な説明は省略する。
【００１３】
（構成−光受信機）
光受信機２は、無給電式の光受信機であって、ＰＤ、アンプ、出力端子を備えて構成されている（いずれも図示省略）。この光受信機２は、当該光受信機２に対して外部電源からの給電が行われている場合には、当該給電された電力を用いて、ＰＤにて光信号を電気信号（以下、ＲＦ信号）に変換し、このＲＦ信号からＦＭ信号を取得し、これらＲＦ信号とＦＭ信号を混合して出力端子を介して外部に出力する。また、光受信機２は、当該光受信機２に対して外部電源からの給電が行われていない場合には、ＰＤを無バイアスモードで駆動することにより起電力を発生させ、この電力を用いてＲＦ信号を生成し、このＲＦ信号から取得されたＦＭ信号を出力端子を介して外部に出力する。以下では、光受信機２から出力されるＲＦ信号、ＦＭ信号、あるいはこれらの混合信号を、特に相互に区別する必要がない場合には単に「信号」と称する。このような無給電式の光受信機２の具体的な回路構成としては、例えば、特開２０１０−０６８１９５号公報や特開２０１０−０９３７７８号公報に開示されている構成を適用することができる。なお、当該光受信機２に対して外部電源からの給電が行われている場合とは、通常は非停電時を意味し、当該光受信機２に対して外部電源からの給電が行われていない場合とは、通常は停電時を意味するが、後者の場合としては、非停電時であっても、外部電源が故障したり、外部電源と光受信機２との間の電力線が断線したりする場合も含み得る。以下では、対象機器（光受信機２及びブースタ３を含む）に対して電源が供給されている状態を「給電時」と称し、対象機器に対して電源が供給されていない状態をその原因に関わらず「無給電時」と称する。
【００１４】
（構成−ブースタ）
ブースタ３は、上流側から入力された信号を下流側に出力するものである。図２は、ブースタ３内の回路図である。この図２に示すように、ブースタ３は、ブースタ入力端子３０、増幅素子３１、分岐器３２、減衰器３３、給電時出力端子３４、常時出力端子３５、第１スイッチ３６ａ、第２スイッチ３６ｂ、及び、直流カットコンデンサ３７ａ、３７ｂ、３７ｃを備えている。
【００１５】
（構成−ブースタ−ブースタ入力端子）
ブースタ入力端子３０は、上流側からの信号の入力を受ける入力端子であり、光受信機２の出力端子と同軸ケーブル（図示省略）を介して接続されている。
【００１６】
（構成−ブースタ−増幅素子）
増幅素子３１は、信号を増幅する増幅手段であり、当該増幅素子３１の入力端子（図示省略）が第１スイッチ３６ａ及び直流カットコンデンサ３７ａを介してブースタ入力端子３０と接続される。この増幅素子３１としては、例えば電界効果トランジスタ等の公知の増幅素子を用いることができる。
【００１７】
（構成−ブースタ−分岐器）
分岐器３２は、増幅素子３１により増幅された信号を、直流カットコンデンサ３７ｂを介して給電時出力端子３４に至る給電時出力系統と、減衰器３３、第２スイッチ３６ｂ、及び直流カットコンデンサ３７ｃを介して常時出力端子３５に至る常時出力系統とに分配する分配手段であり、当該分岐器３２の入力端子（図示省略）が増幅素子３１の出力端子（図示省略）に接続されている。なお、本実施の形態１では、図２に示すように、分岐器３２の送電系統は、給電時出力系統が幹線系統となっており、常時出力系統が分岐線系統となっている。この分岐器３２としては、公知の分岐器を用いることができる。なお、分岐器３２に代えて、分配器を用いてもよい。
【００１８】
（構成−ブースタ−減衰器）
減衰器３３は、分岐器３２により常時出力系統に分岐された信号を減衰させる減衰手段であり、当該減衰器３３の入力端子（図示省略）が分岐器３２の常時出力系統側の出力端子（図示省略）に接続されている。この減衰器３３による減衰量は、増幅素子３１の利得と、分岐器３２の分岐損失と当該減衰器３３による減衰量との合計値とが、略同一になるように設定されている。この減衰器３３としては、公知の減衰器を用いることができる。
【００１９】
（構成−ブースタ−給電時出力端子）
給電時出力端子３４は、分岐器３２により給電時出力系統に分岐された信号を出力するものであり、直流カットコンデンサ３７ｂを介して分岐器３２の給電時出力系統側の出力端子に接続されている。
【００２０】
（構成−ブースタ−常時出力端子）
常時出力端子３５は、信号を出力するものであり、直流カットコンデンサ３７ｃを介して第２スイッチ３６ｂに接続されている。
【００２１】
（構成−ブースタ−第１スイッチ、第２スイッチ）
第１スイッチ３６ａ及び第２スイッチ３６ｂは、ブースタ３内の回路の接続を切り替える切り替え手段である。この内、第１スイッチ３６ａは、直流カットコンデンサ３７ａを介してブースタ入力端子３０に接続され、当該ブースタ入力端子３０の接続先を、増幅素子３１の入力端子（図示省略）と第２スイッチ３６ｂとの間で切り替える。また、第２スイッチ３６ｂは、直流カットコンデンサ３７ｃを介して常時出力端子３５に接続され、当該常時出力端子３５の接続先を、減衰器３３の出力端子（図示省略）と第１スイッチ３６ａとの間で切り替える。これらの第１スイッチ３６ａ及び第２スイッチ３６ｂとしては、例えば、機械式スイッチ、電気機械式スイッチ、半導体スイッチ等、公知のスイッチを用いることができる。また、これらの第１スイッチ３６ａ及び第２スイッチ３６ｂの切り替えは、ユーザやメンテナンス者が任意のタイミングで手動で行えるようにしてもよく、あるいは、ブースタ３に対する給電状況に応じて自動的に行われるようにしてもよい。
【００２２】
（構成−ブースタ−直流カットコンデンサ）
直流カットコンデンサ３７ａは、第１スイッチ３６ａへの直流成分の流入をカットするコンデンサであり、直流カットコンデンサ３７ｂは、給電時出力端子３４への直流成分の流入をカットするコンデンサであり、直流カットコンデンサ３７ｃは、常時出力端子３５への直流成分の流入をカットするコンデンサである。
【００２３】
（動作）
次に、このように構成されたブースタ３の動作について説明する。まず、給電時には、第１スイッチ３６ａ及び第２スイッチ３６ｂを図２の点線の状態に切り替えて、ブースタ入力端子３０を増幅素子３１に接続することで、ブースタ入力端子３０に入力された信号を増幅素子３１及び分岐器３２を介して給電時出力端子３４から出力させると共に、常時出力端子３５を減衰器３３を介して分岐器３２に接続することで、分岐器３２により常時出力系統に分岐され、さらに減衰器３３により減衰された信号を常時出力端子３５から出力させる。給電時には増幅素子３１に電力が供給されていることから、ブースタ入力端子３０に入力された信号は、直流カットコンデンサ３７ａ、及び第１スイッチ３６ａを介して増幅素子３１に入力され、当該増幅素子３１によって増幅される。そして、増幅素子３１によって増幅された信号は分岐器３２で給電時出力系統と常時出力系統とに分岐される。この内、給電時出力系統に分岐された信号は、直流カットコンデンサ３７ｂを介して給電時出力端子３４から出力され、分配器４で分配されて、各テレビ受像機５に入力される。一方、常時出力系統に分岐された信号は、減衰器３３により減衰され、直流カットコンデンサ３７ｃを介して常時出力端子３５から出力される。常時出力端子３５から出力された信号は、告知放送受信機６に入力される。この結果、テレビ受像機５によるテレビ受像と、告知放送受信機６による告知放送が可能になる。
【００２４】
一方、無給電時には、第１スイッチ３６ａ及び第２スイッチ３６ｂを図２の実線の状態に切り替えて、ブースタ入力端子３０を常時出力端子３５に接続することで、ブースタ入力端子３０に入力された信号を常時出力端子３５から出力させる。この場合、ブースタ入力端子３０に入力された信号は、直流カットコンデンサ３７ａ、第１スイッチ３６ａ、第２スイッチ３６ｂ、及び直流カットコンデンサ３７ｃを介して、常時出力端子３５から出力される。常時出力端子３５から出力された信号は、告知放送受信機６に入力される。この結果、無給電時においても、告知放送受信機６による告知放送が可能になる。
【００２５】
特に、減衰器３３による減衰量は、増幅素子３１の利得と、分岐器３２の分岐損失と当該減衰器３３による減衰量との合計値とが、略同一になるように設定されている。従って、給電時において、直流カットコンデンサ３７ａ、第１スイッチ３６ａ、増幅素子３１、分岐器３２、減衰器３３、第２スイッチ３６ｂ、及び直流カットコンデンサ３７ｃを介して常時出力端子３５から出力される信号の出力レベルと、無給電時において、増幅素子３１、分岐器３２、及び減衰器３３がバイパスされ、直流カットコンデンサ３７ａ、第１スイッチ３６ａ、第２スイッチ３６ｂ、及び直流カットコンデンサ３７ｃを介して常時出力端子３５から出力される信号の出力レベルとが、一定のレベルに保たれる。これにより、告知放送受信機６に入力される信号のレベルを、給電の有無に関わらず一定に保つことができる。
【００２６】
なお、第１スイッチ３６ａ及び第２スイッチ３６ｂを、ユーザやメンテナンス者が手動で切り替える構成としている場合には、給電時と無給電時における第１スイッチ３６ａと第２スイッチ３６ｂの手動切り替えの操作忘れ等を防止するため、告知放送受信機６からユーザに対して、当該告知放送受信機６に対する外部電源からの電源の供給状態に応じて、ユーザに対する注意喚起を音声や表示により出力してもよい。例えば、告知放送受信機６の図示しない制御部は、当該告知放送受信機６に対する外部電源からの電源の供給状態を監視しており、電源が所定時間以上遮断された場合であって、かつ、自己に対して上流側から所定レベル以上の信号が入力されなくなった場合には、停電等が発生したものの、ユーザが第１スイッチ３６ａや第２スイッチ３６ｂの手動切り替えを忘れているために信号の入力がない可能性が高いとし、「第１スイッチ３６ａ及び第２スイッチ３６ｂを無給電側に切り替えて下さい」のような音声メッセージを出力したり、同様の文字メッセージを図示しない液晶パネル等に表示したり、図示しないスイッチ確認要求灯の如き所定の表示灯を点灯又は点滅させたりすることで、ユーザに対する注意喚起を行ってもよい。また、その後、電源が所定時間以上継続して供給された場合には、ユーザが第１スイッチ３６ａや第２スイッチ３６ｂの手動切り替えを忘れないようにするため、「第１スイッチ３６ａ及び第２スイッチ３６ｂを給電側に切り替えて下さい」のような音声メッセージを出力したり、同様の文字メッセージを液晶パネル等に表示したり、スイッチ確認要求灯の如き所定の表示灯を点灯又は点滅させたりすることで、ユーザに対する注意喚起を行ってもよい。
【００２７】
（効果）
このように実施の形態１によれば、第１スイッチ３６ａ及び第２スイッチ３６ｂを切り替えることにより、給電時には、ブースタ入力端子３０を増幅素子３１に接続することで、ブースタ入力端子３０に入力された信号を増幅素子３１及び分岐器３２を介して給電時出力端子３４から出力させると共に、常時出力端子３５を分岐器３２に接続することで、分岐器３２により常時出力系統に分岐された信号を常時出力端子３５から出力させる。また、無給電時には、第１スイッチ３６ａ及び第２スイッチ３６ｂを切り替えることにより、ブースタ入力端子３０を常時出力端子３５に接続することで、ブースタ入力端子３０に入力された信号を常時出力端子３５から出力させる。従って、給電の有無に関わらず、ブースタ３に入力された信号を常に常時出力端子３５から出力させることができ、無給電時においても告知放送受信機６による告知放送を行わせることができる。
【００２８】
また、第１スイッチ３６ａ及び第２スイッチ３６ｂを切り替えることにより、給電時には、常時出力端子３５を減衰器３３に接続することで、減衰器３３により減衰された信号を常時出力端子３５から出力させるので、給電時において常時出力端子３５から出力される信号のレベルを無給電時と同様のレベルに抑制することができ、告知放送受信機６に入力される信号のレベルを、給電の有無に関わらず一定に保つことができる。
【００２９】
特に、増幅素子３１の利得と、分岐器３２の分岐損失と当該減衰器３３による減衰量との合計値とを、略同一にしたので、給電時において常時出力端子３５から出力される信号のレベルと無給電時において常時出力端子３５から出力される信号のレベルとを、確実に一定のレベルに保つことができ、告知放送受信機６に入力される信号のレベルを、給電の有無に関わらず確実に一定に保つことができる。
【００３０】
〔実施の形態２〕
次に、実施の形態２について説明する。この実施の形態２は、給電時出力端子を複数備える形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００３１】
（構成）
図３は、実施の形態２に係るブースタ３を用いた光伝送システム１の構成図である。この図３に示すように、光伝送システム１は、光受信機２と１台の告知放送受信機６とを、ブースタ３を介して接続すると共に、光受信機２と複数台のテレビ受像機５とを、ブースタ３を介して接続して構成されている。
【００３２】
（構成−ブースタ）
図４は、実施の形態２に係るブースタ３内の回路図である。この図４に示すように、ブースタ３は、実施の形態１における分岐器３２に代えて分配器３８を備えていると共に、複数の給電時出力端子３４ａ、３４ｂ、３４ｃ、３４ｄを備えている。
【００３３】
（構成−ブースタ−分配器）
分配器３８は、増幅素子３１により増幅された信号を、給電時出力系統と常時出力系統とに分配する分配手段であり、当該分配器３８の入力端子（図示省略）が増幅素子３１の出力端子（図示省略）に接続されている。なお、本実施の形態２では、図４に示すように、分配器３８は出力を５系統に分配する５分配器となっており、増幅素子３１から直流カットコンデンサ３７ｂ、３７ｄ、３７ｅ、３７ｆを介して４つの給電時出力端子３４ａ、３４ｂ、３４ｃ、３４ｄに至る各系統が給電時出力系統、増幅素子３１から減衰器３３、第２スイッチ３６ｂ、及び直流カットコンデンサ３７ｃを介して常時出力端子３５に至る系統が常時出力系統となっている。この分配器３８としては、公知の分配器を用いることができる。
【００３４】
（構成−ブースタ−減衰器）
減衰器３３は、分配器３８により常時出力系統に分配された信号を減衰させる減衰手段であり、当該減衰器３３の入力端子（図示省略）が分配器３８の常時出力系統の出力端子に接続されている。この減衰器３３による減衰量は、増幅素子３１の利得と、分配器３８の分配損失と当該減衰器３３による減衰量との合計値とが、略同一になるように設定されている。この減衰器３３としては、公知の減衰器を用いることができる。
【００３５】
（構成−ブースタ−給電時出力端子）
給電時出力端子３４ａ、３４ｂ、３４ｃ、３４ｄは、分配器３８により給電時出力系統に分配された信号を出力するものであり、直流カットコンデンサ３７ｂ、３７ｄ、３７ｅ、３７ｆを介して分配器３８の給電時出力系統の出力端子に接続されている。本実施の形態２では、４つの給電時出力端子３４ａ、３４ｂ、３４ｃ、３４ｄが設けられている。
【００３６】
（動作）
次に、このように構成されたブースタ３の動作について説明する。まず、給電時には、第１スイッチ３６ａ及び第２スイッチ３６ｂを図４の点線の状態に切り替えて、ブースタ入力端子３０を増幅素子３１に接続することで、ブースタ入力端子３０に入力された信号を増幅素子３１及び分配器３８を介して各給電時出力端子３４ａ、３４ｂ、３４ｃ、３４ｄから出力させると共に、常時出力端子３５を減衰器３３を介して分配器３８に接続することで、分配器３８により常時出力系統に分配され、さらに減衰器３３により減衰された信号を常時出力端子３５から出力させる。給電時には増幅素子３１に電力が供給されていることから、ブースタ入力端子３０に入力された信号は、直流カットコンデンサ３７ａ、及び第１スイッチ３６ａを介して増幅素子３１に入力され、当該増幅素子３１によって増幅される。そして、増幅素子３１によって増幅された信号は分配器３８で給電時出力系統と常時出力系統とに分配される。この内、給電時出力系統に分配された信号は、直流カットコンデンサ３７ｂ、３７ｄ、３７ｅ、３７ｆを介して各給電時出力端子３４ａ、３４ｂ、３４ｃ、３４ｄから出力され、各テレビ受像機５に直接入力される。一方、常時出力系統に分配された信号は、減衰器３３により減衰され、直流カットコンデンサ３７ｃを介して常時出力端子３５から出力される。常時出力端子３５から出力された信号は、告知放送受信機６に入力される。この結果、テレビ受像機５によるテレビ受像と、告知放送受信機６による告知放送が可能になる。
【００３７】
一方、無給電時には、第１スイッチ３６ａ及び第２スイッチ３６ｂを図４の実線の状態に切り替えて、ブースタ入力端子３０を常時出力端子３５に接続することで、ブースタ入力端子３０に入力された信号を常時出力端子３５から出力させる。この場合、ブースタ入力端子３０に入力された信号は、直流カットコンデンサ３７ａ、第１スイッチ３６ａ、第２スイッチ３６ｂ、及び直流カットコンデンサ３７ｃを介して、常時出力端子３５から出力される。常時出力端子３５から出力された信号は、告知放送受信機６に入力される。この結果、無給電時においても、告知放送受信機６による告知放送が可能になる。
【００３８】
特に、減衰器３３による減衰量は、増幅素子３１の利得と、分配器３８の分配損失と当該減衰器３３による減衰量との合計値とが、略同一になるように設定されている。従って、給電時において、直流カットコンデンサ３７ａ、第１スイッチ３６ａ、増幅素子３１、分配器３８、減衰器３３、第２スイッチ３６ｂ、及び直流カットコンデンサ３７ｃを介して常時出力端子３５から出力される信号の出力レベルと、無給電時において、増幅素子３１、分配器３８、及び減衰器３３がバイパスされ、直流カットコンデンサ３７ａ、第１スイッチ３６ａ、第２スイッチ３６ｂ、及び直流カットコンデンサ３７ｃを介して常時出力端子３５から出力される信号の出力レベルとが、一定のレベルに保たれる。これにより、告知放送受信機６に入力される信号のレベルを、給電の有無に関わらず一定に保つことができる。
【００３９】
（効果）
このように実施の形態２によれば、実施の形態１と同様の効果に加えて、複数のテレビ受像機５にブースタ３から信号を直接入力させることができる。これにより、光伝送システム１の構成を一層簡易なものとすることができる。
【００４０】
〔各実施の形態に対する変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００４１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４２】
（具体的な回路構成について）
ブースタ３の具体的な回路構成としては、上記説明した機能を実現することができる限りにおいて、各実施の形態で例示した回路構成以外にも、公知の回路構成を適用することができる。例えば、図５は、図４に示した実施の形態２のブースタ３の回路構成の変形例を示した回路図である。この図５に示すように、実施の形態２のブースタ３において、増幅素子３１と分配器３８との間に、さらに分岐器３２を設けることとしてもよい。この場合、分岐器３２は、増幅素子３１により増幅された信号を、分配器３８、及び直流カットコンデンサ３７ｂ、３７ｄ、３７ｅ、３７ｆを介して給電時出力端子３４ａ、３４ｂ、３４ｃ、３４ｄに至るに至る給電時出力系統と、減衰器３３、第２スイッチ３６ｂ、及び直流カットコンデンサ３７ｃを介して常時出力端子３５に至る常時出力系統とに分岐する。このようにブースタ３の回路を構成した場合においても、実施の形態２のブースタ３と同様の機能を実現することができる。
【００４３】
また、上述の各実施の形態では、ブースタ３が減衰器３３を備える場合を説明したが、減衰器３３を省略した構成としてもよい。この場合においても、例えば、増幅素子３１の利得を、分岐器３２の分岐損失、あるいは分配器３８の分配損失と略同一になるように設定することにより、給電時において常時出力端子３５から出力される信号のレベルを無給電時と同様のレベルに抑制することができ、告知放送受信機６に入力される信号のレベルを、給電の有無に関わらず一定に保つことができる。
【００４４】
〔第１の付記〕
第１の付記１のブースタは、信号の入力を受ける入力端子と、信号を増幅する増幅手段と、前記増幅手段により増幅された信号を、給電時出力系統と常時出力系統とに分配する分配手段と、前記分配手段により前記給電時出力系統に分配された信号を出力する給電時出力端子と、信号を出力する常時出力端子と、前記増幅手段に対する給電が行われている場合には、前記入力端子を前記増幅手段に接続することで当該入力端子に入力された信号を当該増幅手段及び前記分配手段を介して前記給電時出力端子から出力させると共に、前記常時出力端子を前記分配手段に接続することで当該分配手段により前記常時出力系統に分配された信号を当該常時出力端子から出力させ、前記増幅手段に対する給電が行われていない場合には、前記入力端子を前記常時出力端子に接続することで当該入力端子に入力された信号を当該常時出力端子から出力させる、切り替え手段と、を備える。
【００４５】
また、第１の付記２のブースタは、第１の付記１に記載のブースタにおいて、前記分配手段により前記常時出力系統に分配された信号を減衰させる減衰手段を備え、前記切り替え手段は、前記増幅手段に対する給電が行われている場合には、前記常時出力端子を前記減衰手段に接続して当該減衰手段により減衰された信号を当該常時出力端子から出力させる。
【００４６】
また、第１の付記３のブースタは、第１の付記２に記載のブースタにおいて、前記増幅手段の利得と、前記分配手段の分配損失と前記減衰手段による減衰量との合計値とを、略同一にした。
【００４７】
第１の付記１に記載のブースタによれば、切り替え手段が、増幅手段に対する給電が行われている場合には、入力端子を増幅手段に接続することで当該入力端子に入力された信号を増幅手段及び分配手段を介して給電時出力端子から出力させると共に、常時出力端子を分配手段に接続することで当該分配手段により常時出力系統に分配された信号を常時出力端子から出力させ、増幅手段に対する給電が行われていない場合には、入力端子を常時出力端子に接続することで当該入力端子に入力された信号を常時出力端子から出力させるので、給電の有無に関わらず、ブースタに入力された信号を常に常時出力端子から出力させることができ、無給電時においても告知放送受信機による告知放送を行わせることができる。
【００４８】
また、第１の付記２に記載のブースタによれば、切り替え手段は、増幅手段に対する給電が行われている場合には、常時出力端子を減衰手段に接続して当該減衰手段により減衰された信号を常時出力端子から出力させるので、給電時において常時出力端子から出力される信号のレベルを無給電時と同様のレベルに抑制することができ、告知放送受信機に入力される信号のレベルを、給電の有無に関わらず一定に保つことができる。
【００４９】
また、第１の付記３に記載のブースタによれば、増幅手段の利得と、分配手段の分配損失と減衰手段による減衰量との合計値とを、略同一にしたので、給電時において常時出力端子から出力される信号のレベルと無給電時において常時出力端子から出力される信号のレベルとを、確実に一定のレベルに保つことができ、告知放送受信機に入力される信号のレベルを、給電の有無に関わらず確実に一定に保つことができる。
【００５０】
〔第２の付記〕
第２の付記１のブースタは、信号の入力を受ける入力端子と、信号を増幅する増幅手段と、前記増幅手段により増幅された信号を、給電時出力系統と常時出力系統とに分配する分配手段と、前記分配手段により前記給電時出力系統に分配された信号を出力する給電時出力端子と、信号を出力する常時出力端子と、前記増幅手段に対する給電が行われている場合には、前記入力端子を前記増幅手段に接続することで当該入力端子に入力された信号を当該増幅手段及び前記分配手段を介して前記給電時出力端子から出力させると共に、前記常時出力端子を前記分配手段に接続することで当該分配手段により前記常時出力系統に分配された信号を当該常時出力端子から出力させ、前記増幅手段に対する給電が行われていない場合には、前記入力端子を前記常時出力端子に接続することで当該入力端子に入力された信号を当該常時出力端子から出力させる、切り替え手段とを備え、前記増幅手段の利得を、前記分配手段の分配損失と略同一に設定した。
【００５１】
このように、第２の付記１に記載のブースタによれば、前記増幅手段の利得を、前記分配手段の分配損失と略同一に設定したので、給電時において常時出力端子から出力される信号のレベルを無給電時と同様のレベルに抑制することができ、告知放送受信機に入力される信号のレベルを、給電の有無に関わらず一定に保つことができる。
【符号の説明】
【００５２】
１、１０１  光伝送システム
２、１０２  光受信機
３、１０３  ブースタ
４、３８  分配器
５、１０５  テレビ受像機
６、１０６  告知放送受信機
３０  ブースタ入力端子
３１  増幅素子
３２、１０４  分岐器
３３  減衰器
３４、３４ａ、３４ｂ、３４ｃ、３４ｄ  給電時出力端子
３５  常時出力端子
３６ａ  第１スイッチ
３６ｂ  第２スイッチ
３７ａ、３７ｂ、３７ｃ、３７ｄ、３７ｅ、３７ｆ  直流カットコンデンサ
１０７  バックアップ電源
【図１】
0005926837.tif 000002
【図２】
0005926837.tif 000003
【図３】
0005926837.tif 000004
【図４】
0005926837.tif 000005
【図５】
0005926837.tif 000006
【図６】
0005926837.tif 000007